(57)【要約】【課題】商品が潰れるのを防止し、かつ、収納スペースを有効利用でき、さらに、商品の出し入れの際の手間を少なくすることができる買い物籠を得る。【解決手段】収納部８を有する籠本体２と、収納部８よりも小さく深さが浅い上段収納部１８を有する上段収納体１１とを備える。収納部８の上部を上段収納部１８が占め上段収納体１１の側壁１６が籠本体２の側壁を構成する占有位置と、収納部８を開放する開放位置との間で上段収納体１１を移動自在に保持し、上段収納体１１の底壁１２を側壁１６に沿う位置に折畳み自在とする。【選択図】    図１
2005014952.tif 000002
【特許請求の範囲】
【請求項１】
上面が開口し内部に収納部を有する籠本体と、
前記収納部よりも小さく深さが浅い上段収納部を有する上段収納体と、
前記収納部の上部を前記上段収納部が占め前記上段収納体の側壁が前記籠本体の側壁を構成する占有位置と、前記収納部を開放する開放位置との間で前記上段収納体を移動自在に保持する保持機構と、
を備える買い物籠。
【請求項２】
前記籠本体は、上側に比べて下側が細く形成され、
前記上段収納体の底壁を前記側壁に沿う位置に折畳み自在とする折畳み機構を備える、請求項１記載の買い物籠。
【請求項３】
前記籠本体側と前記上段収納体側とに設けられた一対の取っ手を備え、
前記保持機構は、一対の前記取っ手が近接する方向への力により前記上段収納体が前記開放位置から前記占有位置へ向かう方向に移動するように前記上段収納体を保持する、請求項１又は２記載の買い物籠。
【請求項４】
前記上段収納体は、前記籠本体の側壁を構成する前記側壁に対向する対向側壁を有し、
前記折畳み機構は、前記対向側壁を前記側壁に沿う位置に折畳み自在とする、請求項２又は３記載の買い物籠。
【発明の詳細な説明】
【０００１】
【発明の属する技術分野】
本発明は、小売店などで使用される買い物籠に関する。
【０００２】
【従来の技術】
一般に、スーパーマーケットやコンビニエンスストアなどの小売店には、顧客が購入する商品をレジまで運ぶための買い物籠が設置されている。
【０００３】
買い物籠に商品を入れる際に、例えば卵やイチゴなどの潰れやすい商品の上に例えばペットボトルに入った飲料などの重たい商品を積重ねた場合、潰れやすい商品が潰れてしまう。そこで、買い物籠に仕切を立設して収納スペースを左右に２分割するタイプの買い物籠が提案されている（例えば、特許文献１参照）。これにより、潰れやすい商品を、重たい商品と分けて買い物籠に収納できる。
【０００４】
【特許文献１】
特開平７−４７０１０号公報
【０００５】
【発明が解決しようとする課題】
しかしながら、特許文献１のように収納スペースを左右に２分割するタイプの買い物籠では、潰れやすい商品が潰れるのを避けるため、分割した収納スペースのうちの一方に潰れやすい商品を入れその上には他の商品を積重ねないという使用形態を想定しているため、潰れやすい商品の上方のスペースは使用されず、無駄になってしまうという問題がある。
【０００６】
ところで、潰れやすい商品の潰れを防止する方法としては、顧客が買い物籠の中に重たい商品を入れる度に、既に買い物籠に入っている潰れやすい商品を取り出し、重たい商品を入れた後にその潰れやすい商品を入れ直すという、置き換え作業も行われている。しかしながら、この場合には、商品の置き換え作業が顧客にとって負担となる。
【０００７】
ここで、レジでの清算業務においてスーパーマーケットなどではキャッシャーは、顧客がレジカウンタに置いた買い物籠（以後、第１買い物籠という）から商品を取り出し、その商品に付され商品情報に対するスキャナの読み取り操作（以後、スキャンという）を行い、スキャン後の商品をスキャン後の商品を入れる為に予め用意した買い物籠（以後、第２買い物籠という）に入れるという作業を行う。
【０００８】
このとき、前述したように第１買い物籠の中で潰れやすい商品が一番上に置かれていると、まず、その潰れやすい商品からスキャンし、スキャン後の潰れやすい商品を第２買い物籠には入れずに一旦レジカウンタに置いておき、重たい商品スキャンが終わり重たい商品を第２買い物籠に入れた後に、つまり、最後に潰れやすい商品を第２買い物籠に入れることにより、潰れやすい商品を一番上に置いている。これにより、第２買い物籠においても、潰れやすい商品の潰れを防止している。しかしながら、第２買い物籠にスキャン後の商品を入れる際に、第２買い物籠へ入れる商品の順番の入れ替えが発生してしまい、キャッシャーにとって負担であるという問題がある。
【０００９】
さらに、この後、精算を済ませた顧客が第２買い物籠の中の商品を持ち帰り用のビニール袋に入れ替えるときも、第２買い物籠の中で一番上に置かれている潰れやすい商品を詰め替え用カウンタ上に取り出し、重たい商品をビニール袋に入れた後に、つまり最後に潰れやすい商品をビニール袋に入れることにより、潰れやすい商品を一番上に入れている。これによりビニール袋においても、潰れやすい商品の潰れを防止している。しかしながら、このように、精算後の商品を第２買い物籠からビニール袋に詰め替える際に、ビニール袋へ入れる商品の順番の入れ替えが発生してしまい、顧客にとって負担であるという問題がある。
【００１０】
本発明の目的は、商品が潰れるのを防止し、かつ、収納スペースを有効利用でき、さらに、商品の出し入れの際の手間を少なくすることができる買い物籠を得ることである。
【００１１】
【課題を解決するための手段】
本発明は、収納部を有する籠本体と、前記収納部よりも小さく深さが浅い上段収納部を有する上段収納体とを備える。前記収納部の上部を前記上段収納部が占め前記上段収納体の側壁が前記籠本体の側壁を構成する占有位置と、前記収納部を開放する開放位置との間で前記上段収納体を保持機構により移動自在に保持する。
【００１２】
【発明の実施の形態】
本発明の第一の実施の形態を図１ないし図４に基づいて説明する。ここで、図１は本実施の形態の買い物籠を示す斜視図、図２は上段収納体が開放位置にある状態の買い物籠を示す斜視図である。
【００１３】
図１及び図２に示すように、本実施の形態の買い物籠１の籠本体２は、長方形状の底壁３の縁から側壁である４面の縦壁４，５，６，７が上方に立設され、上面が開口されて、外形が略長方体形状に形成されており、内部に収納部８を形成している。この籠本体２は、上側に比べて下側が細く形成されている。以後、便宜上、籠本体２の長手方向を前後方向と呼び、籠本体２の短手方向を左右方向と呼ぶこととする。
【００１４】
左右の縦壁４，５には、コの字形の一対の取っ手９，１０が掛け渡されている。これらの一対の取っ手９，１０は、左右の縦壁４，５に回動自在に支持されている。
【００１５】
籠本体２の前半分の上半分の部位には、上段収納体１１が設けられている。籠本体の前縦壁６は他の縦壁４，５，７の高さの半分の高さに設定されており、上段収納体１１は、籠本体２に対して引き出し及び収納自在に取り付けられている。
【００１６】
上段収納体１１は、底壁１２、及び、底壁１２の縁に位置し底壁１２から上方に伸びた縦壁１４，１５，１６，１７などから構成され、上面開口であって内部に上段収納部１８を形成する。この上段収納部１８は、籠本体２の収納部８よりも小さく深さが浅く形成されている。
【００１７】
この上段収納体１１の取り付け構造を説明する。上段収納体１１の左右縦壁１４，１５の後部には外側に向けて突出した一対の突部３０が設けられている。これらの突部３０は、籠本体２の左右縦壁４，５の前部の上部に前後方向に長く形成された溝部３１にスライド自在に嵌合している。また、籠本体２の左右縦壁４，５の前部には、溝部３１の前端部の下側に位置させて内側に突出した一対の突部３２が設けられている。これらの突部３２は、上段収納体１１の左右縦壁１４，１５の下部に前後方向に長く形成された溝部３３にスライド自在に嵌合している。このような構造により、上段収納体１１は、籠本体２に収納された位置である占有位置（図１参照）と、籠本体２から引き出された位置である開放位置（図２参照）との間でスライド自在となっている。ここで、突部３０，３２、溝部３１，３３が保持機構３５を構成する。
【００１８】
上段収納体１１が占有位置に位置している場合は（図１参照）、上段収納体１１の上段収納部１８が籠本体２の収納部８の上部の一部を占め、上段収納体１１の前縦壁１６が籠本体２の前縦壁６と面一となる。このとき、上段収納体１１の前縦壁１６は籠本体２の前縦壁６とともに籠本体２の側壁を構成する。一方、上段収納体１１が開放位置に位置している場合は（図２参照）、籠本体２の収納部８が全体的に開放される。ここで、籠本体２の収納部８が全体的に開放される状態には、図２に示すような上段収納体１１の一部が収納部８に位置している状態も含まれる。
【００１９】
図３は上段収納体１１が折り畳まれた状態の買い物籠１を示す斜視図、図４は買い物籠１を示し、（ａ）は上段収納体１１が展開状態の買い物籠１を示す縦断側面図、（ｂ）は上段収納体１１が折畳み途中の状態の買い物籠１を示す縦断側面図、（ｃ）は上段収納体１１が折畳み状態の買い物籠１を示す縦断側面図である。
【００２０】
上段収納体１１は、概略的には、図１及び図３に示すように、展開及び折畳み自在である。詳しくは、前縦壁１６及び左右縦壁１４，１５はコの字形に一体に形成されており、これらの縦壁１４，１５，１６に対して前縦壁１６に対向する対向壁である後縦壁１７及び底壁１２が展開及び折畳み自在となっている。上段収納体１１の折畳み機構４０を図２ないし図４に基づいて詳しく説明する。
【００２１】
底壁１２は、図４に示すように、２枚の底板１９，２０がヒンジ２１により結合されて構成されている。前側の底板１９の前端部は前縦壁１６の下端部にヒンジ２２により取り付けられており、後側の底板２０の後端部は後縦壁１７の下端部にヒンジ２３により取り付けられている。後縦壁１７の上端部の左右両端部には、図２に示すように、突部２４が左右方向に突出して設けられており、これらの突部２４が左右縦壁１４，１５の上部に設けられた前後方向に長い溝部２５にスライド自在に係合している。これらの溝部２５の前後端部には、図２ないし図４に示すように、突部２４が嵌る下に凹状の位置決め部２６，２７が形成されている。そして、この構造では、溝部２５の位置決め部２７に突部２４が嵌った状態において、上段収納体１１が展開された状態で位置決めされる（図４（ａ）参照）。この状態から、溝部２５の位置決め部から突部２４を外して後縦壁１７を前方向にスライドさせることにより、底壁１２の２枚の底板１９，２０が山折りになり（図４（ｂ））、最終的には、後縦壁１７、２枚の底板１９，２０が折り畳まれて前縦壁１６に沿う形になる（図４（ｃ））。この状態で溝部２５の位置決め部２６に突部２４が嵌り上段収納体１１が折り畳まれた状態で位置決めされる。
【００２２】
このような構成において、顧客が商品を買い物籠１に入れる際には、卵やイチゴなどの潰れやすい商品を例えば上段収納体１１の上段収納部１８に入れ、飲料などの重たい商品などを上段収納部１８以外の籠本体２の収納部８に入れれば良い。このとき、収納部８において上段収納部１８の下に位置する部位（下段収納部という）に対して商品を出し入れする場合には、上段収納体１１を開放位置に引き出すことにより下部収納部を含む収納部８全体が開放され、これにより簡単に商品の出し入れが行える。このように、本実施の形態では収納スペースが上下２段構成であるので、潰れやすい物と重たいものなどを分けて収納でき、潰れやすい物が潰れることを防止することができる。
【００２３】
このように商品を上段収納部１８及び下段収納部とに上下に分けて入れることができるので、従来行われていた既に買い物籠１に入っている潰れやすい商品を取り出し重たい商品を入れた後にその潰れやすい商品を入れ直すという置き換え作業を行う必要がなく、買い物籠１に商品を入れる際の顧客の手間を少なくすることができる。
【００２４】
また、収納スペースが上下２段構成であることにより、商品が潰れることを防止できるとともに、収納部８全体に商品を入れることができるので、収納スペースを有効利用することができる。
【００２５】
次に、レジでの清算業務においては、キャッシャーは、顧客がレジカウンタに置いた買い物籠１（以後、第１買い物籠１という）から商品を取り出し、その商品に付され商品情報に対するスキャナの読み取り操作（以後、スキャンという）を行い、スキャン後の商品をスキャン後の商品を入れる為に予め用意した買い物籠１（以後、第２買い物籠１という）に入れるという作業を行う。このとき、第１及び第２買い物籠１のそれぞれの上段収納部１８を開放位置に引き出し、第１買い物籠１の上段収納部１８に入っている商品を第２買い物籠１の上段収納部１８に入れ、第一買い物籠１において上段収納部１８以外に入っている商品を第２買い物籠１においても上段収納部１８以外に入れるようにする。これにより、第２買い物籠１においても、潰れやすい商品の潰れが防止されるとともに、従来行っていた第２買い物籠１へ入れる商品の順番の入れ替え作業が必要ないので、キャッシャーの商品の出し入れの際の手間を少なくすることができる。
【００２６】
次に、精算を済ませた顧客が第２買い物籠１の中の商品を持ち帰り用のビニール袋などに入れ替える際には、第２買い物籠１の上段収納体１１を開放位置に引き出した状態で行う。これにより、従来のように重たい商品を詰め替え用カウンタに取り出すことなく、重たい商品からビニール袋に入れることができ、その後、最後に潰れやすい商品をビニール袋に入れることができる。これによりビニール袋においても、潰れやすい商品の潰れが防止される。これにより、従来行っていたビニール袋へ入れる商品の順番の入れ替え作業が必要ないので、顧客の商品の出し入れの際の手間を少なくすることができる。
【００２７】
また、本実施の形態においては、籠本体２は、上側に比べて下側が細く形成され、上段収納体１１の底壁１２を側壁である前縦壁１６に沿う位置に折畳み自在とする折畳み機構を備え、さらに、上段収納体１１は、籠本体２の側壁を構成する側壁である前縦壁１６に対向する対向側壁である後縦壁１７を有し、折畳み機構４０は、後縦壁１７を前縦壁１６に沿う位置に折畳み自在とすることにより、上段収納体１１を占有位置に位置付けて折り畳むことにより、収納部８に別の買い物籠１を収納することができ、これにより、買い物籠１同士を積み重ねることができる。また、後縦壁１７により、上段収納体１１は、商品を確実に支持することができ上段収納部１８から商品が落ちるのを確実に防止することができる。
【００２８】
なお、本実施の形態では、上段収納体１１の底壁１２を籠本体２の側壁を構成する上段収納体１１の前縦壁１６に沿わせるようにした例を説明したが、これに限るものではない。例えば、底壁１２を籠本体２の前縦壁６に沿わすようにしてもよい。このときは、底壁１２を構成する底板１９，２０が谷折りとなるようにヒンジ２１，２２，２３を設定すれば良い。
【００２９】
次に、本発明の第二の実施の形態を図５及び図６に基づいて説明する。なお、第一の実施の形態と同じ部分は同一符号で示し説明も省略する。ここで、図５は本実施の形態の買い物籠１を示す斜視図、図６は上段収納体１１が開放位置にある状態の買い物籠１を示す斜視図である。
【００３０】
図５及び図６に示すように、本実施の形態の上段収納体１１は、保持機構であるアーム５１により籠本体２に対して占有位置と開放位置との間で回動自在に取り付けられている。このような取り付け構造とするために、籠本体２の左右縦壁５２，５３には切欠き５４が形成され、これらの切欠き５４に上段収納体１１の左右縦壁５５，５６が嵌る構造となっている。つまり、占有位置に上段収納体１１が位置する状態では、上段収納体１１の左右縦壁５５，５６は、外見上、籠本体２の左右縦壁５２，５３と一体となる。
【００３１】
アーム５１は、籠本体２の左右にそれぞれ２本ずつ計４本設けられている。アーム５１の一端側は籠本体２の左右の縦壁５２，５３に回動自在に取り付けられ、他端側は上段収納体１１の左右の縦壁５５，５６に回動自在に取り付けられている。そして、占有位置では、上段収納体１１は籠本体２の左右縦壁５２，５３の切欠き５４全体に位置決めされ、開放位置では上段収納体１１は籠本体２の左右縦壁５２，５３の切欠き５４の前端部に位置決めされる。
【００３２】
また、前側の取っ手１０は、籠本体２ではなく、上段収納体１１の左右の縦壁５５，５６に掛け渡されて設けられている。
【００３３】
このような構造において、一対の取っ手９，１０の上部を合わせ持って買い物籠１を持ち上げることにより、一対の取っ手９，１０の下端側が近接する方向へ力が発生し、この力を受けたアーム５１の回動により上段収納体１１が開放位置から占有位置へ向かう方向に移動する。
【００３４】
このように本実施の形態においては、籠本体２側と上段収納体１１側とに設けられた一対の取っ手９，１０を備え、保持機構であるアーム５１は、一対の取っ手９，１０が近接する方向への力により上段収納体１１が開放位置から占有位置へ向かう方向に移動するように上段収納体１１を保持することにより、両方の取っ手９，１０を合わせ持って買い物籠１を持ち上げた状態において、占有位置にある上段収納体１１が開放位置に回動するのを防止することができる。
【００３５】
【発明の効果】
本発明によれば、商品が潰れるのを防止でき、かつ、収納スペースを有効利用でき、さらに、商品の出し入れの際の手間を少なくすることができる。
【図面の簡単な説明】
【図１】本発明の第一の実施の形態の買い物籠を示す斜視図である。
【図２】上段収納体が開放位置にある状態の買い物籠を示す斜視図である。
【図３】上段収納体が折り畳まれた状態の買い物籠を示す斜視図である。
【図４】買い物籠を示し、（ａ）は上段収納体が展開状態の買い物籠を示す縦断側面図、（ｂ）は上段収納体が折畳み途中の状態の買い物籠を示す縦断側面図、（ｃ）は上段収納体が折畳み状態の買い物籠を示す縦断側面図である。
【図５】本発明の第二の実施の形態の買い物籠を示す斜視図である。
【図６】上段収納体が開放位置にある状態の買い物籠を示す斜視図である。
【符号の説明】
１…買い物籠、２…籠本体、８…収納部、９…取っ手、１０…取っ手、１１…上段収納体、１２…底壁、１６…前縦壁（側壁）、１７…後縦壁（対向側壁）、１８…上段収納部、３５…保持機構、４０…折畳み機構、５１…アーム（保持機構）
【図１】
2005014952.tif 000003
【図２】
2005014952.tif 000004
【図３】
2005014952.tif 000005
【図４】
2005014952.tif 000006
【図５】
2005014952.tif 000007
【図６】
2005014952.tif 000008